(57)【特許請求の範囲】
【請求項１】
画像記録装置の装置本体に凹部を設けて排出空間を形成し、その排出空間に前記装置本体の排出口から記録済み用紙を排出する画像記録装置において、
前記凹部にオプションとして周辺装置を取付可能とし、その内部機構に、前記排出口から排出された用紙を搬送する紙搬送経路を設けて前記内部機構を前記装置本体に取外し自在に取り付けるとともに、
周辺外装カバーを前記装置本体の本体外装カバーの上記装置本体の凹部に対応する凹部に取外し自在に取り付けてその本体外装カバーで支持してなり、前記周辺外装カバーは前記本体外装カバーと同時に開閉するよう構成してなる画像記録装置。
【請求項２】
弾性挟持具で挟んで前記周辺外装カバーを前記本体外装カバーに取外し自在に取り付けてなる、請求項１に記載の画像記録装置。
【請求項３】
前記弾性挟持具に、前記周辺外装カバーおよび本体外装カバーからの抜け止め用の係止部を設けてなる、請求項２に記載の画像記録装置。
【請求項４】
画像記録装置の装置本体に設けて排出空間を形成する凹部に、オプションとして周辺装置を取り付け、その周辺装置の内部機構を前記装置本体に取外し自在に取り付けてその装置本体の排出口から排出された記録済み用紙を、前記内部機構に設ける紙搬送経路を通して搬送するとともに、前記周辺装置の周辺外装カバーを前記装置本体の本体外装カバーの上記装置本体の凹部に対応する凹部に取外し自在に取り付けてその本体外装カバーで支持し、前記周辺外装カバーを前記本体外装カバーと同時に開閉するようにしてなる、画像記録装置の装置本体への周辺装置取付方法。
【発明の詳細な説明】
【０００１】
【産業上の利用分野】
この発明は、複写機・プリンタ・ファクシミリなど、複写・印字・転写などにより用紙に記録を行う画像記録装置に関する。詳しくは、そのような画像記録装置のうち、装置本体に、大量給紙装置やソータ等の周辺装置をオプションとして取り付けるタイプのものに関する。また、そのような画像記録装置の装置本体への周辺装置取付方法に関する。
【０００２】
【従来の技術】
従来、たとえば装置本体に周辺装置を取り付けた複写機では、装置本体の内部機構にそれを覆う本体外装カバーを固定するとともに、周辺装置の内部機構にそれを覆う周辺外装カバーを固定してなり、それら独立構成の装置本体に同じく独立構成の周辺装置をそのまま取り付けていた。
そして、たとえばジャム処理時、装置本体の本体外装カバーを開くとともに、周辺装置の周辺外装カバーを開いていた。
【０００３】
そのため、従来のそのような複写機は、以下のような不具合があった。
▲１▼たとえばジャム処理時、本体外装カバーおよび周辺外装カバーを個別に開かなければならない面倒がある。
▲２▼本体外装カバーおよび周辺外装カバーを開くための開閉ヒンジ、マグネットキャッチ、開閉検知機構などが個別に必要となり、部品点数が多くなってコストアップとなる。
【０００４】
そこで、上述した不具合を解消すべく、従来の複写機の中には、たとえば図１１に示すように、装置本体１の両側にそれぞれヒンジ２・３を介して周辺装置４・５を回動自在に取り付け、それら周辺装置４側および周辺装置５側にそれぞれヒンジ６・７を介して装置本体１の観音開き方式の本体外装カバー８・９を取り付ける構成としたものがある（実開平１−１０８５４９号公報参照）。
そして、ジャム処理時、たとえば装置本体１に対して周辺装置４を２点鎖線位置へと開けば、同時に本体外装カバー８も開いていた。なお、周辺装置５を開くと、同時に本体外装カバー９も開く。
【０００５】
【発明が解決しようとする課題】
しかしながら、このような従来のものでは、たとえば周辺装置４を故障などにより取り外したときは、本体外装カバー８で覆う装置本体１の部分を別途本体外装カバーで覆わなければならない問題点があった。
【０００６】
そこで、この発明の目的は、上述したような画像記録装置において、周辺装置を取り付けないときにも装置本体の部分を別途本体外装カバーで覆うことなく、本体外装カバーおよび周辺外装カバーの双方を別個に開閉する手間をなくすことにある。
【０００７】
【課題を解決するための手段】
そのため、請求項１に記載のものは、画像記録装置の装置本体に凹部を設けて排出空間を形成し、その排出空間に前記装置本体の排出口から記録済み用紙を排出する画像記録装置において、
前記凹部にオプションとして周辺装置を取付可能とし、その内部機構に、前記排出口から排出された用紙を搬送する紙搬送経路を設けて前記内部機構を前記装置本体に取外し自在に取り付けるとともに、
周辺外装カバーを前記装置本体の本体外装カバーの上記装置本体の凹部に対応する凹部に取外し自在に取り付けてその本体外装カバーで支持してなり、前記周辺外装カバーは前記本体外装カバーと同時に開閉するよう構成してなることを特徴とする。
【０００８】
請求項２に記載のものは、たとえば以下の図示実施例に示すとおり、請求項１に記載の画像記録装置において、弾性挟持具３３で挾んで前記周辺外装カバー３０を前記本体外装カバー１５に取外し自在に取り付けてなることを特徴とする。
【０００９】
請求項３に記載のものは、たとえば以下の図示実施例に示すとおり、請求項２に記載の画像記録装置において、前記弾性挟持具３３に、前記周辺外装カバー３０および本体外装カバー１５からの抜け止め用の係止部３４ｂを設けてなることを特徴とする。
【００１０】
請求項４に記載のものは、画像記録装置の装置本体に設けて排出空間を形成する凹部に、オプションとしてソータのような周辺装置を取り付け、その周辺装置の内部機構を前記装置本体に取外し自在に取り付けてその装置本体の排出口から排出された記録済み用紙を、前記内部機構に設ける紙搬送経路を通して搬送するとともに、前記周辺装置の周辺外装カバーを前記装置本体の本体外装カバーの上記装置本体の凹部に対応する凹部に取外し自在に取り付けてその本体外装カバーで支持し、前記周辺外装カバーを前記本体外装カバーと同時に開閉するようにしてなることを特徴とする、画像記録装置の装置本体への周辺装置取付方法である。
【００１１】
【作用】
そして、装置本体１１に周辺装置を取り付けるとき、周辺装置の内部機構２９を装置本体１１に取外し自在に取り付けるとともに、周辺装置の周辺外装カバー３０を装置本体１１の本体外装カバー１５に取外し自在に取り付ける。
そうして、たとえばジャム処理時、本体外装カバー１５を開くと、同時に周辺外装カバー３０も開く。そのジャム処理後、本体外装カバー１５を閉じると、同時に周辺外装カバー３０も閉じる。
【００１２】
請求項２に記載のものでは、周辺外装カバー３０を本体外装カバー１５に取り付けるとき、それらを弾性挟持具３３で挾む。
【００１３】
請求項３に記載のものでは、弾性挟持具３３で挾んだとき、その係止部３４ｂを係止して周辺外装カバー３０および本体外装カバー１５から抜け止めする。
【００１４】
請求項４に記載のものでは、たとえばジャム処理時に本体外装カバー１５を開いたとき、同時に周辺外装カバー３０も開く。ジャム処理後、本体外装カバー１５を閉じたときは、同時に周辺外装カバー３０も閉じる。
【００１５】
【実施例】
以下、図面を参照しつつ、この発明の実施例を詳細に説明する。
図１０は、この発明の一実施例であるレーザ複写機全体の正面図である。
【００１６】
このレーザ複写機は、用紙収納台１０上に装置本体１１を乗せてなる。用紙収納台１０は、外形を箱型とし、この中に給紙カセット１２・１３・１４を正面側から引き出し自在に設ける。それら給紙カセット１２・１３・１４内には、各種サイズの用紙をそれぞれ収納してなる。
【００１７】
一方、装置本体１１は、内部機器を本体外装カバー１５で被って外形を箱形状としてなる。その装置本体１１の上面には、原稿を乗せる図示しないコンタクトガラスを設けるとともに、それを被う原稿押えカバー１６を設ける。原稿押えカバー１６は、コンタクトガラスより少し大きい大きさの板状に形成し、図示しないヒンジを介して装置本体１１に対し開閉自在に設ける。また、装置本体１１の図中左側中間には、オプション取付用の凹部１７を横向きに設け、該凹部１７内に排紙トレイ１８を着脱自在に設けるとともに、凹部１７内奥側に記録済み用紙の排出口を開けてなる。さらに、装置本体１１の下部には、給紙カセット１９・２０を正面側から引き出し自在に設ける。それら給紙カセット１９・２０内にも、各種サイズの用紙をそれぞれ収納してなる。
【００１８】
しかして、このレーザ複写機を使用して記録を行なうときは、先ず、スイッチボタンを押して電源をオンする。それから前記原稿押えカバー１６を開き、図示しないコンタクトガラス上に原稿を載せてセット後、該原稿押えカバー１６を再び閉じて原稿を押え、図示しない操作表示部中のスタートボタンを押す。そして、前記原稿上の画像を読み取る一方、帯電・書き込み・現像・転写・クリーニングなどの電子写真プロセスにより感光体上に読み取り画像を繰り返し形成する。
しかして、給紙カセット１２・１３・１４・１９・２０の一つを適宜選択してそこから用紙を繰り出し、その用紙に感光体上の画像を転写して記録する。その記録後、記録済用紙を排紙口から排出して排紙トレイ１８上にスタックする。
【００１９】
ところで、上述したレーザ複写機は、図１に示すように、周辺装置としてソータ２５を備え、要望に応じてオプションとして取り付けていた。
【００２０】
さて、前記装置本体１１の本体外装カバー１５は、上面に前記コンタクトガラスを備える箱型形状で、正面外装カバー部２６を図示しないヒンジを介して開閉自在に取り付けてなる。その正面外装カバー部２６は、図２に示すように、内面側に縁枠２６ａを設けるとともに、前記凹部１７と対応して切欠き部２６ｂを設けてなる。
【００２１】
また、本体外装カバー１５の左側面外装カバー部２７は、図３にも示すように、正面側の外縁に断面Ｌ字形の縁枠２７ａを設ける。そして、図示するようにその縁枠２７ａの一部を前記正面外装カバー部２６の内部に入れるとともに、隙間イ・ロをあけて正面外装カバー部２６の縁枠２６ａと重ね合わせてなる。
【００２２】
なお、前記装置本体１１の図示しない背面外装カバー部は、前記正面外装カバー部２６の切欠き部２６ｂと対応して切欠き部を備える。
【００２３】
一方、前記ソータ２５は、図４に示すように、多段状のトレイを除く内部機構２９とその正面側および背面側を覆う周辺外装カバー３０とを別個に設けてなる。周辺外装カバー３０は、内面側に縁枠３０ａを設けてなる。
【００２４】
しかして、前記装置本体１１に前記ソータ２５を取り付けるとき、そのソータ２５の内部機構２９を装置本体１１の凹部１７内に取外し自在にねじ止めするとともに、図５に示すように、前記正面外装カバー部２６の切欠き部２６ｂ内にソータ２５の周辺外装カバー３０を矢示方向から入れ、図６に示すように、その正面本体外装カバー部２６に周辺外装カバー３０を弾性挟持具３３を用いて取外し自在に取り付ける。
【００２５】
それら各弾性挟持具３３は、金属板をプレス加工したもので、図７に示すように、左右両側の挟持部３４とそれらをつなぐ中間部３５とからなる。それら挟持部３４は、途中に折曲げ部３４ａを設けて背中合わせの略くの字形につくり、その折曲げ部３４ａを弾性力で圧接してなる。また、挟持部３４には、コ字形に切り欠いて係止部３４ｂを形成する。その係止部３４ｂは、図８に示すように、基端から内側へ折り曲げるとともに、先端から内向きに係止爪３４ｃを突出する。
【００２６】
そして、挟持部３４を強制的に開き、正面外装カバー部２６の縁枠２６ａと周辺外装カバー３０の縁枠３０ａとを挾んで弾性挟持具３３を取り付ける。そうして、弾性挟持具３３で挾んで取り付けたとき、正面外装カバー部２６の縁枠２６ａと周辺外装カバー３０の縁枠３０ａにそれぞれ係止爪３４ｃが食い込み、正面外装カバー部２６および周辺外装カバー３０から抜け止めする。
また、図１に示すように正面外装カバー部２６および周辺外装カバー３０を閉じた状態では、図９に示すように、前記弾性挟持具３３が前記隙間イ・ロ内に入り込む。
【００２７】
しかして、たとえばジャム処理時、正面外装カバー部２６を開くと、同時に周辺外装カバー３０も開く。そのジャム処理後、正面外装カバー部２６を閉じると、同時に周辺外装カバー３０も閉じる。
【００２８】
なお、上述した図示実施例では、弾性挟持具３３で挾んで本体外装カバー１５の正面外装カバー部２６に周辺外装カバー３０を取外し自在に取り付けた。しかし、弾性挟持具３３で挾んで取外し自在に取り付けることに限るものでなく、図示省略するが、たとえば本体外装カバー１５に周辺外装カバー３０を掛け止めすることにより、あるいはねじ止めすることにより、本体外装カバー１５に周辺外装カバー３０を取外し自在に取り付ける構成としてもよい。
【００２９】
【発明の効果】
したがって、この発明によれば、たとえばジャム処理時、本体外装カバーを開くと、同時に周辺外装カバーも開くので、それら双方を個別に開く手間がいらず、ジャム処理時の操作性を良くすることができるとともに、周辺外装カバーを開閉するための開閉ヒンジやマグネットキャッチ等が不要となり、部品点数を少なくしてコストダウンを図ることができる。
また、周辺装置を取り付けないときにも装置本体は全体を本体外装カバーで覆われているので、別途本体外装カバーを取り付ける手間がいらない。
【００３０】
請求項２に記載のものによれば、周辺外装カバーを本体外装カバーに取り付けるとき、それらを弾性挟持具で挾むので、周辺外装カバーの着脱を容易とすることができる。
【００３１】
請求項３に記載のものによれば、弾性挟持具で挾んだとき、その係止部を係止して周辺外装カバーおよび本体外装カバーから抜け止めするので、周辺外装カバーの取付を確実にすることができる。
【図面の簡単な説明】
【図１】この発明の一実施例であるレーザ複写機で、その装置本体にソータをオプションとして取り付けた後の状態を示す正面図である。
【図２】その装置本体の凹部周辺部の本体外装カバーの斜視図である。
【図３】図２中矢印Ａ方向から見て示す本体外装カバーの一部の拡大平面図である。
【図４】前記ソータのトレイを除いて示す分解斜視図である。
【図５】その周辺外装カバーを本体外装カバーへ取り付けるときを説明する説明図である。
【図６】その取付後の状態図である。
【図７】その取付時に用いる弾性挟持具の斜視図である。
【図８】その係止部部分の横断面図である。
【図９】その弾性挟持具の挟持状態を示す横断面図である。
【図１０】前記レーザ複写機のオプションとしてソータを取り付けない通常使用状態を示す正面図である。
【図１１】従来の複写機の平面図である。
【符号の説明】
１１  装置本体
１５    本体外装カバー
２５    ソータ（周辺装置）
２９    内部機構
３０    周辺外装カバー
３３    弾性挟持具
３４ｂ  係止部
【図１】
0003703105.tif 000002
【図２】
0003703105.tif 000003
【図３】
0003703105.tif 000004
【図４】
0003703105.tif 000005
【図５】
0003703105.tif 000006
【図６】
0003703105.tif 000007
【図７】
0003703105.tif 000008
【図８】
0003703105.tif 000009
【図９】
0003703105.tif 000010
【図１０】
0003703105.tif 000011
【図１１】
0003703105.tif 000012